(57)【要約】【課題】維持管理が容易で、環境負荷を低減させることができる環境保全型ろ過池を提供する。【解決手段】雨水流入口１８から流入する雨水をろ過処理して調整池１６に流下するろ過池１０であって、ろ過材を充填しているろ過材層１２と、ろ過材層１２をせき止める堰堤１４とからなり、ろ過材層１２を、下層から順に、白炭層２０と、セラミック層２２と、粒度調整砕石層２４とを含んで構成し、堰堤１４内部を貫通する水抜きパイプ２８を設けた。【選択図】図１
2010274201.tif 000002
【特許請求の範囲】
【請求項１】
流入する雨水をろ過処理するろ過池であって、
ろ過材を充填しているろ過材層と、前記ろ過材層をせき止める堰堤とからなり、
前記ろ過材が、砕石と、セラミックと、白炭とを含むことを特徴とする環境保全型ろ過池。
【請求項２】
前記ろ過材層が、白炭層と、前記白炭層の上に積層したセラミック層と、前記セラミック層の上に積層した粒度調整砕石層とを含んで構成されることを特徴とする請求項１に記載の環境保全型ろ過池。
【請求項３】
前記ろ過材層と前記堰堤の下流側を連通する水抜きを設けたことを特徴とする請求項１または２に記載の環境保全型ろ過池。
【発明の詳細な説明】
【技術分野】
【０００１】
本発明は、調整池などに流入する雨水をろ過して浄化処理するろ過池に関し、特に、環境負荷の低減を考慮した環境保全型ろ過池に関するものである。
【背景技術】
【０００２】
従来、ポンプで送り出した雨水をろ過処理する機械式のろ過装置が知られている（例えば、特許文献１参照）。
【０００３】
一方、雨水浄化施設等の浄化資材として用いるセラミック被覆竹炭が知られている（例えば、特許文献２参照）。このセラミック被覆竹炭は、竹炭片にベントナイト粉とゼオライト粉の混合粉からなるセラミックを被覆したものである。
【先行技術文献】
【特許文献】
【０００４】
【特許文献１】特開平５−２６１３７０号公報
【特許文献２】特開２００６−２１８３８６号公報
【発明の概要】
【発明が解決しようとする課題】
【０００５】
ところで、上記の従来の特許文献１の機械式のろ過装置は、維持管理に多大な労力と経費がかかるだけでなく、ポンプ等を稼動するための電力を消費することによって間接的にＣＯ２を排出し、環境負荷をもたらすことになる。他方、雨水が流入する調整池などの水辺において、生物多様性の保全に貢献する技術の開発が求められている。
【０００６】
本発明は、上記に鑑みてなされたものであって、維持管理が容易で、環境負荷を低減させることができる環境保全型ろ過池を提供することを目的とする。
【課題を解決するための手段】
【０００７】
上記した課題を解決し、目的を達成するために、本発明の請求項１に係る環境保全型ろ過池は、流入する雨水をろ過処理するろ過池であって、ろ過材を充填しているろ過材層と、前記ろ過材層をせき止める堰堤とからなり、前記ろ過材が、砕石と、セラミックと、白炭とを含むことを特徴とする。
【０００８】
また、本発明の請求項２に係る環境保全型ろ過池は、上述した請求項１において、前記ろ過材層が、白炭層と、前記白炭層の上に積層したセラミック層と、前記セラミック層の上に積層した粒度調整砕石層とを含んで構成されることを特徴とする。
【０００９】
また、本発明の請求項３に係る環境保全型ろ過池は、上述した請求項１または２において、前記ろ過材層と前記堰堤の下流側を連通する水抜きを設けたことを特徴とする。
【発明の効果】
【００１０】
本発明によれば、流入する雨水をろ過処理するろ過池であって、ろ過材を充填しているろ過材層と、前記ろ過材層をせき止める堰堤とからなり、前記ろ過材が、砕石と、セラミックと、白炭とを含む。このため、ろ過材層に流入した雨水は、重力の作用によってろ過材層を自然流下し、流下の過程でろ過材層内のろ過材によってろ過処理される。このように、雨水をろ過材層に導く動力源は重力であることから、ポンプなどの動力源や機械設備を必要としない。このため、電力を使用しないとともに、設備に対する維持管理の労力や経費は軽減される。したがって、維持管理が容易で、環境負荷を低減させることができるという効果を奏する。
【図面の簡単な説明】
【００１１】
【図１】図１は、本発明に係る環境保全型ろ過池の実施例を示す側断面図である。
【発明を実施するための形態】
【００１２】
以下に、本発明に係る環境保全型ろ過池の実施例を図面に基づいて詳細に説明する。なお、この実施例によりこの発明が限定されるものではない。
【００１３】
図１に示すように、本発明に係る環境保全型ろ過池１０は、ろ過材層１２と、ろ過材層１２をせき止める堰堤１４とからなり、調整池１６に設けられる雨水流入口１８の下流側に設置される。
【００１４】
ろ過材層１２は、下層から順に、白炭層２０と、セラミック層２２と、粒度調整砕石層２４とを上下に積層したものである。
【００１５】
白炭層２０は、複数の棒状の白炭のろ過材を充填したろ過材層であり、上下方向の厚さは、例えば１００ｍｍ程度とすることができる。
【００１６】
セラミック層２２は、複数の小板状のセラミックのろ過材を充填したろ過材層であり、上下方向の厚さは、例えば１００ｍｍ程度とすることができる。
【００１７】
粒度調整砕石層２４は、フィルターとしての機能を有するように粒度調整された砕石からなるろ過材を充填したろ過材層であり、上下方向の厚さは、例えば２００ｍｍ程度とすることができる。
【００１８】
粒度調整砕石層２４とセラミック層２２の間、セラミック層２２と白炭層２０の間には、多孔質シートとしての不織布２６が設けてあり、各層２０，２２，２４内を流下する雨水を通過させつつ、各層間のろ過材の移動を防ぐようにしてある。また、白炭層２０の下の地盤と接する面にも不織布２６が設けてある。
【００１９】
堰堤１４は、側断面視で略三角形状の断面を有するコンクリート等からなる重力式の越流堰である。堰堤１４の下側内部には、堰堤１４を略水平に貫通する水抜きパイプ２８（水抜き）が設けてある。この水抜きパイプ２８は、ろ過材層１２の白炭層２０と堰堤１４の下流側とを連通しており、白炭層２０に貯えられたろ過処理水を、下流側の調整池１６に排出する。
【００２０】
水抜きパイプ２８は、その開口下端が、堰堤１４の下流側の調整池１６の常時水位ＷＬよりも上方の位置になるように設けてあり、平常時に調整池１６の水が水抜きパイプ２８を逆流してろ過材層１２に侵入しないようにしてある。水抜きパイプ２８の内径は、設定したろ過処理能力にもよるが通水容量に応じた径とすることができ、例えばφ７５ｍｍ程度のパイプを用いることができる。なお、水抜きパイプは、堰堤１４を貫通していなくてもよく、堰堤部分を避けて地山内にパイプを配して下流側の調整池１６に端部を臨ませるようにしてもよい。また、水抜きパイプを用いずに堰堤１４に貫通孔をあけるだけの水抜きでもよい。
【００２１】
また、大雨時には、ろ過処理能力を超える水量がろ過材層１２に過剰に流入することとなる。このような場合、堰堤１４は、この超過分の雨水をオーバーフローさせて、下流側の調整池１６に直接流下させるように機能する。
【００２２】
上記構成の動作および作用について説明する。
雨水流入口１８からろ過材層１２に雨水が流入すると、この雨水は、ろ過材層１２の最上層の粒度調整砕石層２４に浸透してろ過処理され、重力の作用によって下方に流下し、セラミック層２２に浸透する。そして、このセラミック層２２でろ過処理され、さらに重力の作用によって流下して最下層の白炭層２０でろ過処理される。こうして白炭層２０に貯えられたろ過処理水は、水抜きパイプ２８によって堰堤１４の下流側の調整池１６に排水される。このため、雨水流入口１８から流入する雨水は、本発明の環境保全型ろ過池１０によってろ過処理されてから調整池１６に流入するので、調整池１６の水質を安定させることができる。
【００２３】
このように、ろ過材層１２に流入した雨水は、重力の作用によってろ過材層１２を自然流下し、流下の過程でろ過材層１２内のろ過材によってろ過処理され、調整池１８に流入する雨水を水質浄化することができる。この場合、雨水をろ過材層１２に導く動力源は重力であり、ポンプなどの動力源や機械設備を必要としない。このため、電力を使用しないとともに、設備に対する維持管理の労力や経費は軽減される。したがって、維持管理が容易で、環境負荷を低減させることができるという効果を奏する。
【００２４】
また、調整池１６に設けられる全ての雨水流入口１８に対して本発明の環境保全型ろ過池１０を配置すると同時に、この環境保全型ろ過池１０の近傍の護岸に水生植物を植栽すれば、本発明による作用と、この植物の自浄化作用の相乗効果により、雨水が流入する調整池１６の水質を安定もしくは向上させるだけでなく、水生動植物の生息環境を整えることもできる。
【００２５】
以上説明したように、本発明によれば、流入する雨水をろ過処理するろ過池であって、ろ過材を充填しているろ過材層と、前記ろ過材層をせき止める堰堤とからなり、前記ろ過材が、砕石と、セラミックと、白炭とを含む。このため、ろ過材層に流入した雨水は、重力の作用によってろ過材層を自然流下し、流下の過程でろ過材層内のろ過材によってろ過処理される。このように、雨水をろ過材層に導く動力源は重力であることから、ポンプなどの動力源や機械設備を必要としない。このため、電力を使用しないとともに、設備に対する維持管理の労力や経費は軽減される。したがって、維持管理が容易で、環境負荷を低減させることができるという効果を奏する。
【産業上の利用可能性】
【００２６】
以上のように、本発明に係る環境保全型ろ過池は、雨水が流入する調整池などの水域の水質浄化に有用であり、特に、環境保全を配慮したい場合に適している。
【符号の説明】
【００２７】
１０  環境保全型ろ過池
１２  ろ過材層
１４  堰堤
１６  調整池
１８  雨水流入口
２０  白炭層
２２  セラミック層
２４  粒度調整砕石層
２６  不織布（多孔質シート）
２８  水抜きパイプ（水抜き）
【図１】
2010274201.tif 000003